(57)【要約】  消費財を収容するためのボックス（12）、ヒンジリッド（14）および開封帯を備えた、消費財用の容器（100）。ボックス（12）は前部壁（16）、後部壁（204）、底部パネル（202）および二つの側壁（18）を含み、ヒンジリッド（14）は前部壁（20）、後部壁（206）、上部壁（24）および二つの側壁（22）を含む。開封帯（102）は、横断する方向に延びる第一および第二の間隙を介した弱化線（104、106）の間に画定される。ボックスの前部壁（16）の底部端は折り目に沿ってボックスの底部パネル（202）の前部端から垂れ下がり、ボックスの後部壁（204）の底部端は折り目に沿ってボックスの底部パネル（202）の後部端から垂れ下がる。リッドの後部壁（206）の底部端は折り目に沿ってボックスの後部壁（204）の上部端から垂れ下がる。開封帯（102）の第一の端は第一の弱化線（104）に沿ってリッドの前部壁（20）の底部端から垂れ下がり、開封帯（102）の第二の端は第二の弱化線（106）に沿ってボックスの前部壁（16）の上部端から垂れ下がる。【選択図】図２
2016517376.tif 000002
【特許請求の範囲】
【請求項１】
消費財のための容器であって、前記容器が、
前記消費財を収容するためのボックスであって、前部壁、後部壁、底部パネルおよび二つの側壁を含むものと、
前部壁、後部壁、上部壁および二つの側壁を含むヒンジリッドと、
横断する方向に延びる第一および第二の間隙を介した弱化線の間に画定される開封帯とを備え、
前記ボックスの前部壁の底部端が折り目に沿って前記ボックスの底部パネルの前部端から垂れ下がり、前記ボックスの後部壁の底部端が折り目に沿って前記ボックスの底部パネルの後部端から垂れ下がり、
前記リッドの後部壁の底部端が折り目に沿って前記ボックスの後部壁の上部端から垂れ下がり、
前記開封帯の第一の端が前記第一の弱化線に沿って前記リッドの前部壁の前記底部端から垂れ下がり、および前記開封帯の第二の端が前記第二の弱化線に沿って前記ボックスの前部壁の前記上部端から垂れ下がる、容器。
【請求項２】
請求項1に記載の容器であって、折り目に沿って前記リッドの前部壁の第一の側から垂れ下がったリッドのサイドパネルと、折り目に沿って前記ボックスの前部壁の第一の側から垂れ下がったボックスのサイドパネルとをさらに含み、前記リッドのサイドパネルの底部端が前記ボックスのサイドパネルの上部端に隣接し、前記リッドのサイドパネルの一部分が、前記ボックスのサイドパネルと連続して、前記リッドおよびボックスのサイドパネル間の前記隣接を維持するために壊れやすい保持部分を形成する、容器。
【請求項３】
前記開封帯の端部分が、前記開封帯の端部分が前記ボックスの側面から突き出すように、前記リッドおよびボックスのサイドパネルの少なくとも一つからの切り抜きから形成される、請求項2に記載の容器。
【請求項４】
前記弱化要素が筋つけ線またはパネルを貫いて延びる切り込みのうち少なくとも一つを含む、請求項1〜3のいずれか1項に記載の容器。
【請求項５】
前記容器が単一の層状ブランクから形成される、請求項1〜4のいずれか1項に記載の容器。
【請求項６】
前記容器がさらに内側フレームを含む、請求項1〜5のいずれか1項に記載の容器。
【請求項７】
前記容器が複数個の喫煙物品で充填される、請求項1〜6のいずれか1項に記載の容器。
【請求項８】
それぞれのリッドの側壁が、重なり合う2つのリッドのサイドパネル、折り目に沿って前記リッドの前部壁から垂れ下がるリッドの一方のサイドパネル、および折り目に沿って前記リッドの後部壁から垂れ下がる前記リッドのもう一方のサイドパネルから形成され、またそれぞれのボックスの側壁が、重なり合う2つのボックスのサイドパネル、折り目に沿って前記ボックスの前部壁から垂れ下がる前記ボックスの一方のサイドパネルおよび折り目に沿って前記ボックスの後部壁から垂れ下がる前記ボックスのもう一方のサイドパネルから形成される、請求項1〜7のいずれか1項に記載の容器。
【請求項９】
外側リッドのサイドパネルおよび前記隣接した外側ボックスのサイドパネルがそれぞれ切り抜きを含み、前記切り抜きが連携して開口部を形成し、前記内側リッドのサイドパネルおよび内側ボックスのサイドパネルそれぞれの隣接する端が少なくとも部分的に露出するようにされた、請求項8に記載の容器。
【請求項１０】
左および右の外側リッドのサイドパネルならびに左および右の外側ボックスのサイドパネルが前記容器のそれぞれの側に連携して開口部を形成する切り抜きを含み、前記内側リッドのサイドパネルおよび内側ボックスのサイドパネルそれぞれの前記隣接する端が少なくとも部分的に露出するようにされた、請求項9に記載の容器。
【請求項１１】
少なくとも一つの内側リッドのサイドパネルが壊れやすい保持部分または弱化線によってそれぞれの内側ボックスのサイドパネルに接続され、また前記壊れやすい保持部分または前記弱化線が前記容器のそれぞれの側の前記開口部を通して見える、請求項9または10に記載の容器。
【発明の詳細な説明】
【技術分野】
【０００１】
本発明は消費財用の容器に関連し、その容器は消費財を収容するためのボックス、リッド、およびリッドをボックスに接続する開封帯を備える。本発明の容器には、例えば紙巻たばこなど、喫煙物品用の容器としての特定の用途がある。
【背景技術】
【０００２】
消費財を、折り曲げられた層状のブランクから形成されたヒンジリッド容器に包装することは公知である。例えば、紙巻たばこおよび葉巻たばこなどの細長い喫煙物品は一般に、喫煙物品を収容するボックスと、容器の後部壁を横切って延びるヒンジ線でボックスに連結されたリッドとを有する、ヒンジリッドパック入りで販売される。こうしたパックは通常、一枚の層状の厚紙ブランクから構成される。使用時、リッドはヒンジ線を中心として回転してパックを開き、ボックス内に保持されている喫煙物品へのアクセスが得られる。
【０００３】
紙巻たばこおよびその他の消費財を包装するために一般に使用されるヒンジリッド容器は通常、外側ラッパーで包装される。外側ラッパーは通常、開封テープを含む。開封テープは、いったん開封テープが取り除かれるとリッドが第一のヒンジ線の周りを自由に回転するように、リッドの前部壁の下縁の下で、容器の周りに配置される。開封テープは、いったん取り外されると再び閉じることができない不正開封防止機能を提供する。不正開封防止機能は、製品が製造者から出荷された時点での本来の製品の品質を消費者に保証するため、望ましい機能である。
【０００４】
WO-2009/040379-A1は、喫煙物品用のパックについて説明しており、パックはリッド部分を容器部分に接続する取り外し可能部分を含む。ところが、こうしたパックを提供するために、WO-2009/040379-A1では、WO-2009/040379-A1の図1に示されている通り、側壁付近で「左右交互」に折り曲げてパックを形成するブランクが教示されている。WO-2009/040379-A1で教示されている「左右交互」折り曲げ方法の結果として、そこで説明されているブランクによって、単一のパネルのみから形成されている側壁を持つパックがもたらされ、これによって非対称のパックがもたらされ、また、それぞれ重なり合う2つのパネルから形成される二つの側壁を通常備える従来的なヒンジリッド容器と比較したときに構造統合性が低減される。
【０００５】
一方で、Focke GmbH（ドイツ）またはG.D Spa（イタリア）から市販されているものなど、ヒンジリッド容器の製造用の標準高速機械では、容器ブランク構造が使用されるが、ここで、容器のリッドおよびボックスの前部壁のパネルは、重なり合うパネルや、機械の広範にわたる改造なしには、前部壁の不正開封防止要素の導入が困難なように、層状ブランクの反対側に配置される。
【０００６】
従って、WO-2009/040379-A1に記載された容器に関連する欠点がなく、また、容器が以前に開封されていないことを消費者に保証する不正開封防止機能が維持される、消費財用の容器が提供されることが望ましい。
【発明の概要】
【０００７】
第一の態様によれば、本発明は消費財用の容器を提供しており、容器は消費財を収容するためのボックス、ヒンジリッドおよび開封帯を含む。ボックスは前部壁、後部壁、底部パネルおよび二つの側壁を含み、ヒンジリッドは前部壁、後部壁、上部壁および二つの側壁を含む。ボックスの前部壁の底部端は折り目に沿ってボックスの底部パネルの前部端から垂れ下がり、ボックスの後部壁の底部端は折り目に沿ってボックスの底部パネルの後部端から垂れ下がる。リッドの後部壁の底部端は折り目に沿ってボックスの後部壁の上部端から垂れ下がる。開封帯の第一の端は第一の弱化線に沿ってリッドの前部壁の底部端から垂れ下がり、開封帯の第二の端は第二の弱化線に沿ってボックスの前部壁の上部端から垂れ下がる。
【０００８】
本発明による容器の構成要素の相対的位置を説明するために使用される「前部」「後部」「上部」「底部」「側面」「左」「右」という用語およびその他の用語は、消費財が取り出される開口部が上部端にあり、ヒンジが容器の後部にある、直立位置にある容器について言及するものである。
【０００９】
「長軸方向」という用語は底部から上部またはその反対の方向を意味する。「横断する」という用語は、長軸方向と直角を成す方向を意味する。
【００１０】
「パネル」という用語は、層状ブランクを形成する材料の単一の連続した部分から形成される容器の一部分を意味する。「壁」という用語はより通常的には、組み立てられた容器の面を意味し、例えば「前部壁」は容器の前部の面を画定する。壁は単一のパネルから形成することも、2つ以上の隣接するまたは重なり合うパネルから形成することもできる。
【００１１】
本発明による容器は有利なことに、折り目に沿って底部パネルから垂れ下がる前部壁および後部壁を含む。言い換えれば、本発明による容器を形成するために使用されるブランクは「上から下」方向に折り曲げられる。従って、本発明による容器により、側壁を形成して構造統合性を強化する複数の重なり合うパネルの使用を容易にする。
【００１２】
本発明による容器は、横断する方向に延びる第一および第二の間隙を介した弱化線の間に画定される開封帯を備え、開封帯の第一の端は第一の弱化線に沿ってリッドの前部壁の底部端から垂れ下がり、および開封帯の第二の端は第二の弱化線に沿ってボックスの前部壁の上部端から垂れ下がる。容器を初めて開封するには、消費者は第一および第二の弱化線を破って開封帯を取り外す。そのため、リッドの前部壁およびボックスの前部壁を接続する開封帯で容器を開封するとき、消費者は容器の内容物が不正に取り扱われていないことを確認できる。
【００１３】
第一および第二の弱化線は、実質的に直線の開封帯を画定するために実質的に平行であることが好ましい。ところが、当業者であればその他の形状も本発明の範囲内に収まることを理解する。例えば、第一および第二の弱化線は正弦波、鋸刃または三角波など、波状の形状を画定することもできる。別の方法として、開封帯は、開封帯の開始部分および開封帯の終了部分が容器の前部壁上で長軸方向にオフセットされるように、前部壁をある角度の方向に横切ることができる。
【００１４】
容器は、折り目に沿ってリッドの前部壁の第一の側から垂れ下がったリッドのサイドパネルと、折り目に沿ってボックスの前部壁の第一の側から垂れ下がったボックスのサイドパネルとをさらに備えうる。リッドのサイドパネルの底部端はボックスのサイドパネルの上部端に隣接し、リッドのサイドパネルの一部分はボックスのサイドパネルと連続して、リッドおよびボックスのサイドパネル間の隣接を維持する壊れやすい保持部分を画定する。
【００１５】
リッドの形状が維持されるように、リッドおよびボックスのサイドパネル間の隣接を維持することに加えて、壊れやすい保持部分はまた、容器が以前に開封されていないことを消費者にさらに示す。特に、消費者は容器を初めて開封する際に、壊れやすい保持部分が破損されているのを見ることができる。さらに、壊れやすい部分は有利なことに、製造時に容器のパネル間の関係を安定化し、機械の詰まりが防止されるか、その可能性が低減され、またそれ故に機械のダウン時間が防止されるか、または低減される。
【００１６】
壊れやすい保持部分は、容器を形成するために使用されるブランクの製造時に形成できる。例えば、切り込みを単一のサイドパネルを貫通して作成し、リッドのサイドパネルの底部端およびボックスのサイドパネルの上部端を形成することができる。単一のサイドパネルに完全に広がらないように切り込みを形成することにより、リッドおよびボックスのサイドパネルを接続する壊れやすい保持部分が作成される。
【００１７】
容器は、折り目に沿ってリッドの前部壁の左側および右側から垂れ下がるリッドのサイドパネルと、折り目に沿ってボックスの前部壁の左側および右側から垂れ下がるボックスのサイドパネルとを含み、壊れやすい保持部分は、それぞれの対のリッドおよびボックスのサイドパネルを接続することが好ましい。
【００１８】
少なくとも一つのリッドのサイドパネルおよび少なくとも一つのボックスのサイドパネルを含むこれらの実施形態で、開封帯の端部分は、少なくとも一つのリッドおよびボックスのサイドパネルからの切り抜きから形成されることが好ましい。この場合には、開封帯の端部分は、ボックスの側面から突き出し、容器を初めて開封する際に、開封帯の取り外しを始めるために消費者がより簡単に掴むことのできる部分を提供する。
【００１９】
上述の実施形態のいずれかにおいて、それぞれの弱化線は筋つけ線、パネルを貫いて延びる切り込み、または両方の組み合わせを備えることができる。「筋つけ線」という用語は本明細書で使用されるとき、容器が形成される材料の一部分に沿って延びる切り込みであるが、材料の厚み全体を貫通して延びない切り込みを意味する。パネルを貫いて延びる切り込みは、パネルの一部分に沿って、かつパネルの厚み全体を貫いて延びる。
【００２０】
それぞれの弱化線は一連の筋つけ線、パネルを貫通して延びる一連の切り込み、またはその両方を含むことが好ましい。例えば、弱化線はパネルを貫通して近接して配置された複数の切り込みから形成される切り取り線を備えることができる。
【００２１】
上述の実施形態のいずれかにおいて、リッドの上部壁の後部端は、折り目に沿ってリッドの後部壁の上部端から垂れ下がりうるが、容器はさらに、折り目に沿ってリッドの上部壁の前部端から垂れ下がり、かつリッドの前部壁の内部表面に付着する下側パネルを含む。
【００２２】
別の方法として、リッドの上部壁の前部端は折り目に沿ってリッドの前部壁の上部端から垂れ下がりうるが、容器はさらに折り目に沿ってリッドの後部壁の上部端から垂れ下がり、かつリッドの上部壁の内部表面に付着する下側パネルを含む。
【００２３】
下側パネルを含む両方の実施形態で、下側パネルはリッドの構造統合性を向上させるとともに、消費者による反復した開閉にさらされるときのリッドの変形の防止に役立つ。下側パネルがリッドの後部壁から垂れ下がる実施形態は、リッドの上部壁の自由端、すなわち、ブランク内の折り曲げではなく、ブランクの端によって画定される端は、容器を前方から見たときに見えないため、一部の状況下で好ましいことがある。
【００２４】
上述の実施形態のいずれかにおいて、それぞれのリッドの側壁は、重なり合う2つのリッドのサイドパネル、すなわち折り目に沿ってリッドの前部壁から垂れ下がるリッドの一方のサイドパネルと、折り目に沿ってリッドの後部壁から垂れ下がるリッドのもう一方のサイドパネルとから形成されることが好ましい。さらに、それぞれのボックスの側壁は、重なり合う2つのボックスのサイドパネル、すなわち折り目に沿ってボックスの前部壁から垂れ下がるボックスの一方のサイドパネルと、折り目に沿ってボックスの後部壁から垂れ下がるボックスのもう一方のサイドパネルとから形成されることが好ましい。重なり合う2つのリッドのサイドパネルおよび重なり合う2つのボックスのサイドパネルからそれぞれの側壁を形成することは、有利にも容器の構造統合性を向上させる。
【００２５】
それぞれの側壁が重なり合う2つのリッドのサイドパネルおよび重なり合う2つのボックスのサイドパネルから形成される実施形態で、外側リッドのサイドパネルおよび隣接した外側ボックスのサイドパネルのそれぞれが切り抜きを含むことが好ましい。切り抜きは連携して、内側リッドのサイドパネルおよび内側ボックスのサイドパネルそれぞれの隣接する端が少なくとも部分的に露出するように、開口部を形成する。開口部を通して、内側リッドのサイドパネルおよび内側ボックスのサイドパネルそれぞれの隣接する端が見える。内側リッドのサイドパネルおよび内側ボックスのサイドパネルの隣接する端は上述の通り、壊れやすい保持部分によって接続されうる。これらの実施形態で、外側リッドおよびボックスのサイドパネルを通して形成される開口部によって、消費者は壊れやすい保持部分を見て、容器が以前に開封されたかどうかをチェックできる。別の方法として、内側リッドのサイドパネルおよび内側ボックスのサイドパネルは、弱化線によって接続されうる。
【００２６】
両方の外側リッドのサイドパネルおよび両方の外側ボックスのサイドパネルは、内側リッドのサイドパネルおよび内側ボックスのサイドパネルそれぞれの隣接する端が、少なくとも部分的に露出されるように、連携して容器のそれぞれの側に開口部を形成する切り抜きを含むことが好ましい。この場合に、容器の両側にある内側リッドのサイドパネルおよび内側ボックスのサイドパネルの隣接する端は、壊れやすい保持部分または弱化線により接続される。
【００２７】
本発明の第二の態様によれば、消費財用の容器が提供されており、容器は消費財を収容するためのボックスおよびヒンジリッドを含む。ボックスは前部壁、後部壁、底部壁および二つの側壁を含み、ヒンジリッドは前部壁、後部壁、上部壁および二つの側壁を含む。それぞれのリッドの側壁は、重なり合う2つのリッドのサイドパネル、すなわち折り目に沿ってリッドの前部壁から垂れ下がるリッドの一方のサイドパネルと、折り目に沿ってリッドの後部壁から垂れ下がるリッドのもう一方のサイドパネルとから形成される。それぞれのボックスの側壁は、重なり合う2つのボックスのサイドパネル、すなわち折り目に沿ってボックスの前部壁から垂れ下がるボックスの一方のサイドパネルと、折り目に沿ってボックスの後部壁から垂れ下がるボックスのもう一方のサイドパネルとから形成される。外側リッドのサイドパネルおよび隣接した外側ボックスのサイドパネルはそれぞれ切り抜きを含むが、切り抜きは連携して、内側リッドのサイドパネルおよび内側ボックスのサイドパネルそれぞれの隣接する端が少なくとも部分的に露出するように、開口部を形成する。従って、開口部を通して、内側リッドのサイドパネルおよび内側ボックスのサイドパネルそれぞれの隣接する端が見える。
【００２８】
開口部を通して見える内側リッドのサイドパネルおよび内側ボックスのサイドパネルの隣接する端は、壊れやすい保持部分または弱化線により接続されることが好ましい。壊れやすい保持部分を含むこれらの実施形態で、壊れやすい保持部分は、それぞれの内側リッドおよびボックスのサイドパネルと一体的に形成される。言い換えれば、内側リッドのサイドパネルの一部分が内側ボックスのサイドパネルと連続し、連続した部分が壊れやすい保持部分を形成する。
【００２９】
有利なことに、開口部により、消費者は壊れやすい保持部分または弱化線が破壊されたかどうかを見ることができ、従って、容器が以前に開封されたかどうかを消費者に示す。
【００３０】
壊れやすい保持部分は、容器を形成するために使用されるブランクの製造時に形成できる。例えば、一般に横方向の切り込みを単一のサイドパネルを貫通して作成し、リッドのサイドパネルの底部端およびボックスのサイドパネルの上部端を形成することができる。単一のサイドパネルに完全に広がらないように切り込みを形成することにより、リッドおよびボックスのサイドパネルを接続する壊れやすい部分が作成される。
【００３１】
弱化線は筋つけ線、パネルを貫いて延びる切り込み、または両方の組み合わせを備えることができる。「筋つけ線」という用語は本明細書で使用されるとき、容器が形成される材料の一部分に沿って延びる切り込みであるが、材料の厚み全体を貫通して延びない切り込みを意味する。パネルを貫いて延びる切り込みは、パネルの一部分に沿って、かつパネルの厚み全体を貫いて延びる。
【００３２】
弱化線は一連の筋つけ線、パネルを貫通して延びる一連の切り込み、またはその両方を含むことが好ましい。例えば、弱化線はパネルを貫通して近接して配置された複数の切り込みから形成される切り取り線を備えることができる。
【００３３】
両方の外側リッドのサイドパネルおよび両方の外側ボックスのサイドパネルは、連携して容器のそれぞれの側に開口部を形成する切り抜きを含むことが好ましく、ここで内側リッドのサイドパネルおよび内側ボックスのサイドパネルそれぞれの隣接する端は、それぞれの開口部を通して見える。これらの実施形態で、壊れやすい保持部分または弱化線は、それぞれの対の内側リッドおよびボックスのサイドパネルを接続することが好ましい。
【００３４】
本発明の第二の態様による任意の実施形態で、容器はリッドの前部壁の底部端をボックスの前部壁の上部端に接続する少なくとも一つの弱化要素をさらに備えうる。
【００３５】
一部の実施形態において実施形態、少なくとも一つの弱化要素は、開封帯が第一の弱化線と第二の弱化線との間に画定されるように、横断する方向に延びる第一および第二の間隙を介した弱化線を含む。開封帯の第一の端は第一の弱化線に沿ってボックスの前部壁の上部端に接続され、開封帯の第二の端は第二の弱化線に沿ってリッドの前部壁の底部端に接続される。従って、容器を初めて開封するには、消費者は第一および第二の弱化線を破って開封帯を取り外す。そのため、リッドの前部壁およびボックスの前部壁を接続する開封帯で容器を開封するとき、消費者は容器の内容物が不正に取り扱われていないことを確認できる。
【００３６】
第一および第二の弱化線は、実質的に直線の開封帯を画定するために実質的に平行であることが好ましい。ところが、当業者であればその他の形状も本発明の範囲内に収まることを理解する。例えば、第一および第二の弱化線は正弦波、鋸刃または三角波など、波状の形状を画定することもできる。
【００３７】
開封帯の端部分は、リッドおよびボックスの外側サイドパネルのうち少なくとも一つからの切り抜きから形成されることが好ましい。この場合には、開封帯の端部分は、ボックスの側面から突き出し、容器を初めて開封する際に、開封帯の取り外しを始めるために消費者がより簡単に掴むことのできる部分を提供する。
【００３８】
開封帯の代わりに、別の方法として弱化要素は単一の弱化線を備えることができる。これらの代替的な実施形態で、リッドの前部壁の底部端は、単一の弱化線に沿ってボックスの前部壁の上部端に接続される。開封帯に関して上述した利点に加えて、弱化要素が単一の弱化線を含む実施形態はまた、消費者が容器を初めて開封する時に開封帯を処分する必要が排除される利点を持つ。
【００３９】
単一の弱化線を含むそれらの実施形態で、単一の弱化線は、内側リッドのサイドパネルの底部端が単一の弱化線に沿って内側ボックスのサイドパネルの上部端に接続されるように、容器の少なくとも一つの側にある内側リッドとボックスのサイドパネルとの間に延びうる。単一の弱化線は、容器のそれぞれの側にある内側リッドのサイドパネルの底部端が単一の弱化線に沿ってそれぞれの内側ボックスのサイドパネルに接続されるように、容器の両側にある内側リッドおよびボックスの両方のサイドパネル間を延びることが好ましい。
【００４０】
弱化線をリッドおよびボックスのサイドパネル間に伸ばすことで、消費者によって初めて開封される前に、いっそうリッドが閉位置に固定される。延長された弱化線は、容器の側から開口部を通して見たときに分かる不正開封防止機能をも提供され、そのため消費者は容器の一方の側のみが見えるときに、例えば複数の容器が前後に並べてまとめて包装されているときに、不正開封をチェックできる。
【００４１】
弱化要素が単一の弱化線を含む上述の実施形態のいずれかにおいて、容器は、さらにボックスの前部壁、リッドの前部壁、またはボックスの前部壁およびリッドの前部壁の両方に切り抜きを含むことが好ましく、切り抜きは、単一の弱化線から延び、ボックスの前部壁、リッドの前部壁、またはボックスの前部壁およびリッドの前部壁の両方に開口部を提供する。こうした開口部は、消費者が開口部内に、および開口部に隣接したリッドの前部壁の部分の下に指の爪または指先を差し込むことができることにより、容器を初めて開封するのを容易にする。従って消費者は、より簡単にリッドの前部壁を掴み、リッドを引き上げて単一の弱化線を破壊し、容器を開封できる。
【００４２】
別の方法としてまたは追加的に、上述の切り抜きセクションは、リッドの前部壁の下縁端に対してヒンジ式にして、リッド内に折り曲げるとき、いわゆる「前方下部」フラップを形成しうる。この前方下部フラップは、切り抜きの領域内にリッドの前部壁の印刷された下縁端を提供する。さらに、前方下部フラップは、内側フレーム（存在する場合）上のそれぞれの保持フラップと連携させて、初めて開封した後で容器が閉じられたとき、前方下部フラップとのロック機構を創出しうる。前方下部フラップおよび内側フレーム上の保持フラップはさらに、消費者に容器が閉じたことの可聴表示をするクリック音を創出しうる。
【００４３】
上述の実施形態のいずれかにおいて、弱化要素は筋つけ線、パネルを貫いて延びる切り込み、または両方の組み合わせを備えることができる。「筋つけ線」という用語は本明細書で使用されるとき、容器が形成される材料の一部分に沿って延びる切り込みであるが、材料の厚み全体を貫通して延びない切り込みを意味する。パネルを貫いて延びる切り込みは、パネルの一部分に沿って、かつパネルの厚み全体を貫いて延びる。
【００４４】
それぞれの弱化要素は一連の筋つけ線、パネルを貫通して延びる一連の切り込み、またはその両方を含むことが好ましい。例えば、弱化線はパネルを貫通して近接して配置された複数の切り込みから形成される切り取り線を備えることができる。
【００４５】
本発明の第二の態様による任意の実施形態で、リッドの上部壁の後部端は折り目に沿ってリッドの後部壁の上部端から垂れ下がりうるが、容器はさらに折り目に沿ってリッドの上部壁の前部端から垂れ下がり、かつリッドの前部壁の内部表面に付着する下側パネルを含む。
【００４６】
別の方法として、リッドの上部壁の前部端は折り目に沿ってリッドの前部壁の上部端から垂れ下がりうるが、容器はさらに折り目に沿ってリッドの後部壁の上部端から垂れ下がり、かつリッドの上部壁の内部表面に付着する下側パネルを含む。
【００４７】
下側パネルを含む両方の実施形態で、下側パネルはリッドの構造統合性を向上させるとともに、消費者による反復した開閉にさらされるときのリッドの変形の防止に役立つ。下側パネルがリッドの後部壁から垂れ下がる実施形態は、リッドの上部壁の自由端（すなわち、ブランク内の折り曲げではなく、ブランクの端によって画定される端）は、容器を前方から見たときに見えないため、一部の状況下で好ましいことがある。
【００４８】
上述の任意の態様による、本発明により形成される容器は、容器の製造および組立を簡略化するために、単一の層状ブランクから形成されることが好ましい。容器には、内側ライナーまたは内側フレームなど、追加的な要素を含めうる。一部の実施形態で、これらは容器の形成に使用されるものと同一のブランクから形成されうる。別の方法として、これらの追加的な要素は、別個に形成して組立時に容器に組み込みうる。
【００４９】
上述した本発明の任意の態様による容器は、フィルター紙巻たばこなど、複数個の喫煙物品で充填しうる。ただし、本発明による容器は、喫煙物品以外の多様な消費財とも使用できる。
【００５０】
それぞれの容器は、幅の狭い2つの壁で間隙を置いた幅の広い2つの壁を含む、直方体であることが好ましい。幅の広い2つの壁は通常、前方壁および後方壁であり、幅の狭い2つの壁は通常、側壁である。
【００５１】
容器は厚紙、ボール紙、プラスチック、金属、またはその組み合わせを含むがこれに限定されない、任意の適切な材料から形成しうる。容器は上述の通り、折り曲げられた単一の層状の厚紙ブランクから形成されることが好ましく、厚紙の坪量は約100グラム／平方メートル〜約350グラム／平方メートルであることが好ましい。
【００５２】
一部の実施形態で、組み立てられ充填されたそれぞれの容器は外側ラッパー内に包装される。外側ラッパーは例えば、高密度または低密度のポリエチレン、ポリプロピレン、方向性ポリプロピレン、ポリ塩化ビニリデン、セルロースフィルム、またはその組み合わせの透明高分子フィルムであることが好ましく、また外側ラッパーは従来的な方法で適用される。外側ラッパーは開封テープを含みうる。さらに、外側ラッパーは画像、消費者情報またはその他のデータとともに印刷しうる。ラッパーは、少なくとも部分的に容器の第一の端に形成される窪みの輪郭に沿うことが好ましい。
【００５３】
上述の通り、本発明の任意の態様による容器は直方体の形状とすることができ、長軸方向の直角の端および横断する直角の端を持ちうる。別の方法として、容器は一つ以上の長軸方向の丸み付きの端、横断する丸み付きの端、長軸方向の面取り付きの端または横断する面取り付きの端、またはその組み合わせを含みうる。例えば、容器は限定されないが以下を含みうる。
【００５４】
−前部壁の1つまたは2つの長軸方向の丸み付きの端または面取り付きの端、および／または後部壁の1つまたは2つの長軸方向の丸み付きの端または面取り付きの端。
【００５５】
−前部壁の1つまたは2つの横断する丸み付きの端または面取り付きの端、および／または後部壁の1つまたは2つの横断する丸み付きの端または面取り付きの端。
【００５６】
−前部壁の1つの長軸方向の丸み付きの端および1つの長軸方向の面取り付きの端、および／または後部壁の1つの横断する方向の丸み付きの端および1つの横断する方向の面取り付きの端。
【００５７】
- 前部壁の1つまたは2つの横断する丸み付きの端または面取り付きの端、および後部壁の1つまたは2つの長軸方向の丸み付きの端または面取り付きの端。
【００５８】
- 第一の側壁の2つの長軸方向の丸み付きまたは面取り付きの端、または第二の側壁の2つの横断する方向の丸み付きまたは面取り付きの端。
【００５９】
容器が一つ以上の面取り付きの端を含む場合、面取り付きの端の幅は、約1 mm〜約10 mmであることが好ましく、約2 mm〜約6 mmであることが好ましい。別の方法として、容器は、2つの明確な面取りが容器の端上に形成されるように間隔を置いた、3本の平行な縦罫線または横罫線により形成された二重面取りを含みうる。
【００６０】
上述の通り、本発明の任意の態様による容器は、例えば、紙巻たばこ、葉巻たばこまたはシガリロなど、細長い喫煙物品用のパックとしての特定用途がある。当然のことながら、寸法を適切に選択することにより、本発明による容器は、異なる数の従来サイズ、キングサイズ、スーパーキングサイズ、スリムまたはスーパースリムの紙巻たばこ用に設計しうる。別の方法として、その他の消費財をパッケージおよび容器内に収容しうる。
【００６１】
本発明による容器の寸法を適切に選択することによって、異なる合計数の喫煙物品、または異なる配列の喫煙物品を保持するよう設計しうる。例えば、その寸法の適切な選択によって、本発明による容器は、合計5〜30個の喫煙物品を保持するよう設計しうる。
【００６２】
喫煙物品は、喫煙物品の合計数に応じて、異なる並べ方で配列しうる。例えば、喫煙物品は、5、6、7、8、9または10個の1列で配列しうる。別の方法として、喫煙物品は2列以上で配列しうる。2列以上の列は、同一の数の喫煙物品を含みうる。例えば、喫煙物品は、5、6、7、8、9もしくは10個の2列、5もしくは7個の3列、または4、5もしくは6個の4列で配列しうる。別の方法として、2列以上の列は、互いに異なる数の喫煙物品を含む少なくとも2列を含みうる。例えば、喫煙物品は、5個の1列および6個の1列（5-6）、6個の1列および7個の1列（6-7）、7個の1列および8個の1列（7-8）、5個の中央の1列および6個の両外側の2列（6-5-6）、5個の中央の1列および7個の両外側の2列（7-5-7）、6個の中央の1列および5個の両外側の2列（5-6-5）、6個の中央の1列および7個の両外側の2列（7-6-7）、7個の中央の1列および6個の両外側の2列（6-7-6）、9個の中央の1列および8個の両外側の2列（8-9-8）、または6個の中央の1列、5個の一方の外側の1列および7個の一方の外側の1列（5-6-7）で配列しうる。
【００６３】
本発明による容器は、同一のタイプまたはブランドの、または異なるタイプまたはブランドの喫煙物品を保持しうる。さらに、フィルターなし喫煙物品および各種フィルターチップ付きの喫煙物品の両方を含みうるほか、異なる長さ（例えば、約40 mm〜約180 mm）、直径（例えば、約4 mm〜約9 mm）の喫煙物品も含みうる。特に、容器は窪みのあるフィルターを持つ喫煙物品を備えうる。さらに、喫煙物品は、味覚の強度、吸い込みに対する抵抗および合計粒状物質の送達が異なりうる。容器の寸法は、喫煙物品の長さ、および喫煙物品の並べ方に適応させることが好ましい。容器の寸法は通常、容器内に収容された喫煙物品のパッケージの寸法よりも約0.5 mm〜約5 mm大きい。
【００６４】
本発明による容器の高さは約40 mm〜約150 mmであることが好ましく、高さが約50 mm〜約125 mmであることがより好ましいが、ここで高さは、前部壁または後部壁の上端から下端の間のどちらか長い方を長軸方向に測定したものである。
【００６５】
本発明による容器の幅は約12 mm〜約150 mmであることが好ましく、幅が約40 mm〜約125 mmであることがより好ましいが、ここで幅は、容器の一方の側壁から他方の側壁までを測定したものである。
【００６６】
本発明による容器の奥行きは約6 mm〜約150 mmであることが好ましく、奥行きが約12 mm〜約25 mmであることがさらに好ましいが、ここで奥行きは、容器の前方壁から後方壁までを測定したものである。
【００６７】
容器の高さ対容器の奥行きの比は、約0.3対1〜約10対1であることが好ましく、約2対1〜約8対1であることがさらに好ましく、約3対1〜5対1であることが最も好ましい。
【００６８】
容器の幅対容器の奥行きの比は、約0.3対1〜約10対1であることが好ましく、約2対1〜約8対1であることがさらに好ましく、約2対1〜3対1であることが最も好ましい。
【００６９】
容器が喫煙物品を収容する場合、容器は、さらに器（例えば、灰または吸い残しなどの廃棄物用）または例えば、マッチ、ライター、消火手段、口臭消臭剤またはエレクトロニクスなど、その他の消費財を備えうる。その他の消費財は、容器の外側に取り付けるか、容器の包装内に喫煙物品に沿って容器の別の区画内に含めるか、またはその組み合わせとしうる。
【００７０】
本発明による容器の外部表面は、製造元またはブランドのロゴ、商標、スローガンおよびその他の消費者情報およびしるしで、印刷、エンボス加工、デボス加工またはその他の方法で装飾しうる。
【００７１】
ここで、以下の添付図面を参照しながら本発明をさらに説明するが、これは例証としてのみである。
【図面の簡単な説明】
【００７２】
【図１】図1は従来的なヒンジリッド容器を示す。
【図２】図2は本発明の第一の態様によるヒンジリッド容器を示す。
【図３】図3は図2の容器を形成するための模範的なブランクを示す。
【図４】図4は図2の容器を形成するための代替的なブランクを示す。
【図５】図5は本発明の第二の態様によるヒンジリッド容器を示す。
【図６】図6は図5の容器を形成するための模範的なブランクを示す。
【発明を実施するための形態】
【００７３】
図1は、ボックス12およびボックス12の後部壁からヒンジ線に沿って垂れ下がるヒンジリッド14を含む、従来的なヒンジリッド容器10を示す。ボックス部分はボックスの前部壁16、2つのボックス側壁18、ボックスの後部壁および底部パネルを含む。ボックス12の前部壁16および後部壁は底部パネルから折り目に沿って垂れ下がる。
【００７４】
リッド14はリッドの前部壁20、2つのリッド側壁22、リッドの後部壁および上部壁24を含む。リッドの前部壁20の底部端はボックスの前部壁16の上部端に隣接し、リッド側壁22の底部端はボックスの側壁18の上部端に隣接する。隣接する端はリッド14およびボックス12の間の隣接線26を画定する。隣接線はシールされず、リッド14はヒンジ線のみによってボックス12に接続される。従って、容器が以前に開封されていないことを消費者が確認できるようにするためには、容器の外側のまわりに外側ラッパーを提供する必要がある。
【００７５】
図2は本発明の第一の態様によるヒンジリッドのボックス100を示す。類似した参照番号は、図1に示すヒンジリッド容器10と共通のそれらの部品を示すために使用されている。
【００７６】
図2に示すヒンジリッドのボックス100は、リッド14の前部壁20をボックス12の前部壁16に接続する開封帯102を含む。リッドの前部壁20、開封帯102およびボックスの前部壁16は、第一の弱化線104がリッドの前部壁20の底部端および開封帯102の上部端を画定し、第二の弱化線106がボックスの前部壁16の上部端および開封帯102の底部端を画定するように、一体として形成されている。弱化線104、106を形成するための適切な手段は、例えば横罫線および穿孔、または横罫線および穿孔の組み合わせを含む。
【００７７】
開封帯102の端部分108は、端部分108が容器100の側面から突き出し、消費者による開封帯102の掴みが容易になるように、ボックス側壁18の一方からの切り抜きから形成される。
【００７８】
壊れやすい保持部分110は容器100のそれぞれの側面上に形成され、それぞれの壊れやすい保持部分110は、リッドの側壁22および隣接したボックスの側壁18の間の壊れやすい接続を提供する。それぞれの壊れやすい保持部分110は、それぞれのリッドおよびボックスの側壁22、18と一体として形成され、容器100が以前に開封されていないことを消費者にさらに示す。その上、壊れやすい保持部分110は、容器が開封される前、特に高速包装器での容器の製造中に、リッドおよびボックスの側壁22、18の間の整列の維持に役立つ。容器100を初めて開封する際、壊れやすい保持部分110は、リッドおよびボックスの側壁22、18が相互に引き離されるように破壊される。
【００７９】
図3は、図2に示す容器100を形成するための模範的な単一の層状ブランク200を示す。破線は折り目線を表し、実線は切り込みを表す。点線は開封帯102の形成に使用される弱化線104、106を表す。
【００８０】
ブランク200は容器100の底部壁を形成する底部パネル202を含む。ボックスの前部壁16およびボックスの後部壁204は、底部パネル202の周囲で折り曲げられる。
【００８１】
ボックスの側壁18は、ボックスの前部壁16から垂れ下がる2つの外側ボックスのサイドパネル218と、ボックスの後部壁204から垂れ下がる2つの内側ボックスのサイドパネル219から形成される。それぞれの外側ボックスのサイドパネル218は、それぞれの内側ボックスのサイドパネル219と重なり合い、ブランク200が折り曲げられたときにそれに付着し、容器100を形成する。
【００８２】
同様に、リッドの側壁22は、リッドの前部壁20から垂れ下がる外側リッドの2つのサイドパネル222と、リッドの後部壁206から垂れ下がる内側リッドの2つのサイドパネル223から形成される。それぞれの外側リッドのサイドパネル222は、それぞれの内側リッドのサイドパネル223と重なり合い、ブランク200が折り曲げられたときにそれに付着し、容器100を形成する。
【００８３】
分割線はリッドの後部壁206とボックスの後部壁204との間のヒンジ線208を画定する。下側パネル210はリッドの上部壁24の前部端から垂れ下がり、ブランク200が折り曲げられて容器100を形成するとき、リッドの前部壁20の内部表面に付着する。
【００８４】
図4は、図2に示す容器100を形成するための代替的単一の層状ブランク300を示す。図4に示すブランク300は、下側パネルおよびリッドの上部壁24の位置を除き、図3に示すブランク200と同一である。リッドの上部壁24から垂れ下がった下側パネルの代わりに、代替的なブランク300は、リッドの後部壁206から垂れ下がった下側パネル310を含む。この場合には、リッドの上部壁24は折り目に沿ってリッドの前部壁20から垂れ下がる。ブランク300が折り曲げられて容器100を形成するとき、下側パネル310はリッドの上部パネル24の内部表面に付着する。
【００８５】
図5は本発明の第二の態様によるヒンジリッドのボックス700を示す。類似した参照番号は、図1に示すヒンジリッド容器10と共通のそれらの部品を示すために使用されている。
【００８６】
ヒンジリッドのボックス700は、リッドの前部壁20の底部端をボックスの前部壁16の上部端に接続する弱化線702を含む。ボックスの前部壁16内の切り抜きは弱化線702から延びて、ボックスの前部壁16内の開口部704を提供する。開口部704により、消費者は指先をリッドの前部壁20の底部端の下に差し込むことができ、ヒンジリッドのボックス700が初めて開封されるとき、リッド14を引いて開き、弱化線702を破壊するにあたり消費者を助ける。
【００８７】
それぞれのボックスの側壁18は、内側ボックスのサイドパネルおよび外側ボックスのサイドパネルを含む。同様に、それぞれのリッドの側壁22は、内側リッドのサイドパネルおよび外側リッドのサイドパネルを含む。切り込み706は、それぞれの外側リッドのサイドパネルをそれぞれの外側ボックスのサイドパネルから分離し、弱化線708は、それぞれの内側リッドのサイドパネルおよびそれぞれの内側ボックスのサイドパネルの間に提供される。消費者が弱化線708を見ることができるようにするために、外側リッドのそれぞれのサイドパネル内の切り抜きが、外側ボックスのそれぞれのサイドパネル内の切り抜きと連携して、それを通して弱化線708が見える開口部710が画定される。
【００８８】
図6は、図5に示す容器700を形成するための模範的な単一の層状ブランク800を示す。破線は折り目線を表し、実線は切り込みを表す。点線は弱化線702、708を表す。
【００８９】
ブランク800は容器700の底部壁を形成する底部パネル802を含む。ボックスの前部壁16およびボックスの後部壁804は、底部パネル802の周囲で折り曲げられる。
【００９０】
ボックスの側壁18は、ボックスの前部壁16から垂れ下がる2つの外側ボックスのサイドパネル818と、ボックスの後部壁804から垂れ下がる2つの内側ボックスのサイドパネル819から形成される。それぞれの外側ボックスのサイドパネル818は、それぞれの内側ボックスのサイドパネル819と重なり合い、ブランク800が折り曲げられたときにそれに付着し、容器700を形成する。
【００９１】
同様に、リッドの側壁22は、リッドの前部壁20から垂れ下がる外側リッドの2つのサイドパネル822と、リッドの後部壁806から垂れ下がる内側リッドの2つのサイドパネル823から形成される。それぞれの外側リッドのサイドパネル822は、それぞれの内側リッドのサイドパネル823と重なり合い、ブランク800が折り曲げられたときにそれに付着し、容器700を形成する。
【００９２】
弱化線708は、内側リッドのそれぞれのサイドパネル823を内側ボックスのそれぞれのサイドパネル819に接続する。それぞれの対の外側リッドおよびボックスのサイドパネル822、818の切り抜きは連携して、開口部710を形成する。
【００９３】
分割線はリッドの後部壁806とボックスの後部壁804との間のヒンジ線808を画定する。下側パネル810はリッドの上部壁24の前部端から垂れ下がり、ブランク800が折り曲げられて容器700を形成するとき、リッドの前部壁20の内部表面に付着する。別の方法として、図4に関連して前述の通り、下側パネルはリッドの後部壁806の上部端から垂れ下がりうる。
【００９４】
当業者であれば、側壁の開口部710を、代替的なヒンジリッドのボックスデザインと組み合わせて使用できることが理解できる。例えば、側壁の開口部は、従来的なヒンジリッドのボックス（すなわち、リッドの前部壁の底部端がボックスの前部壁の上部端に接続されていない場合）または図2に関連して説明した開封帯を持つヒンジリッドのボックスで使用しうる。どちらの場合も、側壁の開口部により、消費者は一つ以上の壊れやすい保持点、または内側リッドとボックスのサイドパネルとの間に延びる弱化線を見ることができるようになる。
【図１】
2016517376.tif 000003
【図２】
2016517376.tif 000004
【図３】
2016517376.tif 000005
【図４】
2016517376.tif 000006
【図５】
2016517376.tif 000007
【図６】
2016517376.tif 000008
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
消費財のための容器であって、前記容器が、
前記消費財を収容するためのボックスであって、前部壁、後部壁、底部パネルおよび二つの側壁を含むものと、
前部壁、後部壁、上部壁および二つの側壁を含むヒンジリッドと、
横断する方向に延びる第一および第二の間隙を介した弱化線の間に画定される開封帯とを備え、
前記ボックスの前部壁の底部端が折り目に沿って前記ボックスの底部パネルの前部端から垂れ下がり、前記ボックスの後部壁の底部端が折り目に沿って前記ボックスの底部パネルの後部端から垂れ下がり、
前記リッドの後部壁の底部端が折り目に沿って前記ボックスの後部壁の上部端から垂れ下がり、
開封帯の第一の端が前記第一の弱化線に沿って前記リッドの前部壁の前記底部端から垂れ下がり、および開封帯の第二の端が前記第二の弱化線に沿って前記ボックスの前部壁の前記上部端から垂れ下がり、
リッドのサイドパネルが折り目に沿って前記リッドの前部壁の第一の側から垂れ下がり、ボックスのサイドパネルが折り目に沿って前記ボックスの前部壁の第一の側から垂れ下がり、前記リッドのサイドパネルの底部端が前記ボックスのサイドパネルの上部端に隣接し、前記リッドのサイドパネルの一部分が、前記ボックスのサイドパネルと連続して、前記リッドおよびボックスのサイドパネル間の前記隣接を維持するために壊れやすい保持部分を形成する、容器。
【請求項２】
前記開封帯の端部分が、前記開封帯の端部分が前記ボックスの側面から突き出すように、前記リッドおよびボックスのサイドパネルの少なくとも一つからの切り抜きから形成される、請求項1に記載の容器。
【請求項３】
前記弱化要素が筋つけ線またはパネルを貫いて延びる切り込みのうち少なくとも一つを含む、請求項1または請求項2のいずれか1項に記載の容器。
【請求項４】
前記容器が単一の層状ブランクから形成される、請求項1〜3のいずれか1項に記載の容器。
【請求項５】
前記容器がさらに内側フレームを含む、請求項1〜4のいずれか1項に記載の容器。
【請求項６】
前記容器が複数個の喫煙物品で充填される、請求項1〜5のいずれか1項に記載の容器。
【国際調査報告】
2016517376.tif 000009
2016517376.tif 000010
2016517376.tif 000011